(57)【要約】【課題】従来の作業形態では自らの目と指を頼りの作業であるため時間もかかるし、正確なテーピングができなかった。また、無理な姿勢での作業も当たり前で骨の折れる仕事であった。【解決手段】本発明は、従来の目視と指先で行なう不正確なテーピング作業とは違い本発明品を使用することにより、断続的目視の必要性が減少し、片手で押さえて引くという動作により誰でも簡単にテーピングができるうえ、大幅な作業時間の短縮と無理な態勢で行なわざるを得ない個所などの作業による目の疲れや身体疲労などの問題点を解決するために考案したものである。もっとも注視すべきことは、さまざまな業種において、テーピング作業は、次工程に渡す前の大切な作業といえる。したがって、この作業の正確性が向上すれば、業者の時間コストが大幅に節約され、結果的に付加価値の向上に資するものである。【選択図】図１
2006193326.tif 000002
【特許請求の範囲】
【請求項１】
変四角形のケース内に数段階の突出機能を備えたガイドローラーとスライドする側面案内板、押し出し式テープカッター刃ヘラ先先端が微回動するテープ押さえと共に両側面に同機能を配したことを特徴とするテーピング装置
【請求項２】
本体ケース内に押し出し式テープカッターを備えたことを特徴とするテーピング装置
【請求項３】
作業内容に応じた備品を脱着可能としたことを特徴とするテーピング装置
【発明の詳細な説明】
【技術分野】
【０００１】  この発明は、ケース内にマスキングテープをセット収納しテーピング作業を行う装置に関する。
【背景技術】
【０００２】  さまざまな業種でテーピング作業は行われているが、従来のテーピング作業は自らの指先と目視を頼りに行われているため、目の疲れや神経、体力の疲労を伴う作業である。また、個々の能力差により仕上がり状態もまちまちで、時間もかかるうえ正確なテーピングはできなかった。
【発明の開示】
【発明が解決しようとする課題】
【０００３】しかしながら、以上の技術によれば、目視重視の作業であるため、たえずテーピング面に平行に近い位置に目線を置かねばならず、高い所、狭い所などは当然目視も難しく困難な作業であった。
特に床面の立ち上がり面などのテーピング作業は上記同様、床面に近い位置まで目線を下げねばならず、無理な態勢での作業となり極端な作業能率の低下、多大な身体疲労を伴う作業であった。
当然ながら時間もかかる上、正確なテーピングは出来なかった。そこで、本発明は、作業時間の短縮、疲労の緩和と共に正確なテーピングを提供することを課題とする。
【課題を解決するための手段】
【０００４】  以上の課題を解決するために、本発明は、本体ケース両面側に突出機能を備えたガイドローラーと突出寸法を調整するためのガイドローラースライドロック板を装着した。これによりテーピング位置をミリ単位で変えることができる。
又、本体両側面下部にスライド式側面案内板をもうけ枠端など端面へのテーピングが出来るものとした。又、本体前方部にはテープ押さえを備え、本体最先端にはカッター刃を組み込むことによりテープをカットすることが出来るものとした。
【発明を実施するための最良の形態】
【０００５】  この発明の一実施形態を、「図１」に示す。
変四角形本体ケースの両側面には、突出機能を備えた「図１」ガイドローラーＢが両側面各３ヶ所に配置されている。
ガイドローラーの突出寸法調整後、固定するガイドローラースライドロック板「図１」Ｂ１が各ガイドローラー横に配置されている。ガイドローラースライドロック板はコイルバネ「図１」Ｅ２、Ｅ３によりガイドローラー側に付勢力を生じた状態で組み付けられている。
ボールローラーの組み込まれた各ガイドローラー内部には、本体両側面に突出させるためのコイルバネ「図３」Ｅ４が組み込まれている。ガイドローラーＢには数本の溝が設けてあり、ガイドローラースライドロック板Ｂ−１を溝にはめ込むことにより「図３」ガイドローラーＢを必要突出寸法にて固定することが出来る。
本体ケースには両側面下部にスライド式側面案内板「図１」Ａが設けられている。本体より下方向に引き出し枠端に沿わせて、後方に引くことにより、端面にテーピングをすることが出来る。「図１１」
本体ケース前部には、テープ押さえ「図１」Ｃが組み込まれている。テープ押さえは、本体ケース後方への付勢力を生じた状態で組み込まれており「図７」に示すとおり、休止時には隙間がなくなりテープを固定している。これによりテープが本体ケース内に巻き戻らないものとした。又、使用時には本体上部からの圧力により、ヘラ先は前方に移動し、隙間が出来、テープがスムーズに引き出されるものとした。
テープ押さえは微回動し「図５」、テープをむらなく均等に押さえることが出来る。
本体ケース先端には、テープカッター「図１」Ｄ２が組み込まれている。テープカッターは「図６」Ｄ、Ｄ１、Ｄ２、Ｄ３、Ｅ１各部品を組み合わせ本体に組み込まれている。
テープカッターＤ２はコイルスプリングＥ１の付勢力により未使用時には、本体ケース内に収納されている。「図７」
テープカッターは「図７」が示すように、プッシュ棒を本体ケース内に押し込むことによりテープカッターＤ２がテープ押さえヘラ先に突出し、テープをカットすることが出来る。
【発明の効果】
【０００６】  本発明によれば、本体ケースに装着したマスキングテープを対象面に沿わせテープ押さえにて押さえつつ、ガイドローラーまたは、側面案内板を用い片手にて後方に引くという簡単な動作で、テーピングが行なえるため、テーピング面に対したえず平行に近い位置に目線を置く必要がなく、これにより楽な姿勢でのテーピングが可能になり、疲労度も軽減され、しかも従来より数倍早く正確なテーピングが行える。
【０００７】「実施形態の効果」
この実施形態によれば、本体ケース両側面に同機能を配し、左利き、右利きを問わないものとし、微回動するテープ押さえにより押さえむらのないテーピングができる。また本体下部両側面に配した側面案内板収納部は多々の作業内容に応じた備品を装着可能なものとし、本体ケースにセット使用するマスキングテープは、市販の規格品を使用できるものとした。また、従来の目視と指先を頼りのテーピングと違いガイド部品によるテーピング作業であるため、迅速、正確なテーピングを可能とした。
【０００８】「他の実施形態」
図１の実施形態では、変四角形のケースであったが他の実施形態では、作業内容に応じての形のものでも良い。
【図面の簡単な説明】
【０００９】
【図１】テーピング装置の側面断面図である。
【図２】側面案内板の展開及び断面図である。
【図３】ガイドローラー、ガイドローラースライドロック板の平面図である。
【図４】ガイドローラー、ガイドローラースライドロック板の側面図である。
【図５】テープ押さえの回動図及び正面図である。
【図６】テープカッター分解図である。
【図７】テープカッター未使用時の側面断面図である。
【図８】入隅にテーピング時の側面動作図である。
【図９】平面テーピング時の平面動作図である。
【図１０】側面案内板使用時の側面図である。
【図１１】枠端にテーピング時の縦立面図である
【符号の説明】
【００１０】  Ａ    側面案内板
Ｂ    ガイドローラー
Ｂ１  ガイドローラースライドロック板
Ｃ    テープ押さえヘラ
Ｄ    プッシュ棒
Ｄ１  カッター固定ピン
Ｄ２  カッター刃
Ｄ３  ＤとＤ１の接続ピン
Ｅ１  コイルスプリング
Ｅ２  コイルスプリング
Ｅ３  コイルスプリング
Ｅ４  コイルスプリング
Ｆ    ケース本体
Ｇ    マスキングテープ
【図１】
2006193326.tif 000003
【図２】
2006193326.tif 000004
【図３】
2006193326.tif 000005
【図４】
2006193326.tif 000006
【図５】
2006193326.tif 000007
【図６】
2006193326.tif 000008
【図７】
2006193326.tif 000009
【図８】
2006193326.tif 000010
【図９】
2006193326.tif 000011
【図１０】
2006193326.tif 000012
【図１１】
2006193326.tif 000013